(57)【要約】【課題】  転写開始時に転写画像サイズがわからない場合でも、転写を開始し、転写画像サイズが判明した時点で転写を制御するブロックに転写サイズを設定し、正常に転写画像を得るようにすることで、転写速度を向上させる画像処理装置および画像転写制御方法を提供する。【解決手段】  画像転写制御回路は、出力した転写画像のライン数をカウントする出力ラインカウンタＰＣＮＴと、転写すべき原稿のライン数を格納する転写ライン数レジスタＯＮＬと、出力した転写画像のライン数と、転写すべき画像のライン数と、を比較するコンパレータＣＭＰと、を有し、画像転写制御回路は、原稿の読み取り開始後に、原稿の転写を開始し、出力ラインカウンタＰＣＮＴは、転写画像の出力したライン数をカウントし、転写ライン数レジスタＯＮＬに設定される転写すべき原稿のライン数は、初期に大きな値に設定され、原稿の読み取り終了後に読み出した原稿のライン数に設定し直され、コンパレータＣＭＰは、出力した転写画像のライン数と、設定し直された転写すべき画像のライン数と、を比較し、両ライン数が一致した時に転写動作を終了する。【選択図】  図１８
2005184637.tif 000002
【特許請求の範囲】
【請求項１】
コントローラ側メモリに蓄積された原稿画像信号をエンジン側に転送し、転写画像として出力する画像処理装置であって、
転写ライン数が確定するまでは前記エンジン側の転写ライン数として大きな値を設定後、転写を開始し、転写ライン数が確定した後に、前記エンジン側の転写ライン数を確定した転写ライン数に設定し直し、前記確定した転写ライン数まで画像を出力することで転写画像を得る手段を有することを特徴とする画像処理装置。
【請求項２】
コントローラ側メモリに蓄積された原稿画像信号をエンジン側に転送し、転写画像として出力する画像処理装置であって、
転写ライン数が確定するまではエンジン側の転写ライン数は未確定として、転写を開始し、転写ライン数が確定した後に、前記エンジン側に転写ライン数確定信号と確定ライン数を設定し、前記エンジン側は確定信号が設定されたときの確定した転写ライン数まで画像を出力することで転写画像を得る手段を有することを特徴とする画像処理装置。
【請求項３】
読み取った原稿画像信号をディジタル変換された画像信号に変換し、これら画像信号を利用可能な画像信号に処理した後、これら画像信号をコントローラ側メモリに送信、蓄積し、しかる後に該画像信号を前記コントローラ側メモリより受信し、転写画像として出力可能な画像信号になるように処理する画像処理装置であって、
原稿読取り手段からの読取り開始を示すフレーム信号のアサートにより原稿長を示すラインカウントを開始し、読み取りの終わりを示すフレーム信号のネゲートによりライン数カウントを停止することで検知された原稿のライン数をコントローラ側に転送し、これら確定した原稿のライン数を前記エンジンの転写側に設定する転写画像を得る手段を有することを特徴とする請求項１または２に記載の画像処理装置。
【請求項４】
読み取った原稿画像信号をディジタル変換された画像信号に変換し、これら画像信号を利用可能な画像信号に処理した後、これら画像信号をコントローラ側メモリに送信、蓄積し、しかる後に該画像信号を前記コントローラ側メモリより受信し、転写画像として出力可能な画像信号になるように処理する画像処理装置であって、
原稿読取り手段からの読取り開始を示すフレーム信号のアサートにより原稿長を示すラインカウントを開始し、読み取りの終わりを示すフレーム信号のネゲートによりライン数カウントを停止することで検知された原稿のライン数の値をラインカウンタから直接、前記エンジンの転写側に設定することで転写画像を得る手段を有することを特徴とする請求項１または２に記載の画像処理装置。
【請求項５】
読み取った原稿の画像信号をディジタル変換された画像信号に変換し、該画像信号をメモリに送信し蓄積し、該画像信号を前記メモリより受信し、転写画像として出力する画像転写制御回路を有する画像処理装置の画像転写制御方法であって、
前記画像転写制御回路は、
出力した転写画像のライン数をカウントする出力ラインカウンタと、
設定された転写すべき原稿のライン数を格納する転写ライン数レジスタと、
前記出力した転写画像のライン数と、前記転写すべき画像のライン数と、を比較するコンパレータと、を有し、
前記画像転写制御回路は、前記原稿の読み取り開始後に、前記原稿の転写を開始し、
前記出力ラインカウンタは、前記転写画像の出力したライン数をカウントし、
前記転写ライン数レジスタに設定される前記転写すべき原稿のライン数は、初期に大きな値に設定され、前記原稿の読み取り終了後に読み出した前記原稿のライン数に設定し直され、
前記コンパレータは、前記出力した転写画像のライン数と、設定し直された前記転写すべき画像のライン数と、を比較し、両ライン数が一致した時に転写動作を終了することを特徴とする画像処理装置の画像転写制御方法。
【請求項６】
前記画像転写制御回路は、さらに出力ライン数確定信号レジスタと、
前記コンパレータと前記出力ライン数確定信号レジスタに接続したＡＮＤ回路と、を有し、
前記転写すべき原稿のライン数は、初期に未確定の値に設定され、前記原稿の読み取り終了後に読み出した前記原稿のライン数に設定し直され、
前記出力ライン数確定信号レジスタに、前記原稿の読み取り終了後に、出力ライン数の確定信号が設定され、
前記確定信号による出力ライン分の転写が終了すると、前記コンパレータの出力信号と前記ＡＮＤ回路とによりプロット終了信号が生成され、転写動作を終了することを特徴とする請求項５記載の画像処理装置の画像転写制御方法。
【請求項７】
前記画像転写制御回路は、原稿サイズ検出回路と組み合わされ、
前記原稿サイズ検出回路は、
原稿画像の１ラインを読み取る毎に、ライン数をカウントし累計する入力制御シーケンサに接続したラインカウンタと、
前記原稿画像の読み取り終了後に、前記ラインカウンタでカウントした前記累計ライン数を格納する入力制御シーケンサに接続した原稿ライン数レジスタと、を有し、
前記原稿ライン数レジスタに格納された前記原稿画像のライン数を、前記転写ライン数レジスタに設定値として格納することを特徴とする請求項５記載の画像処理装置の画像転写制御方法。
【請求項８】
前記画像転写制御回路は、原稿サイズ検出回路と組み合わされ、
前記原稿サイズ検出回路は、
原稿画像の１ラインを読み取る毎に、ライン数をカウントし累計する入力制御シーケンサに接続したラインカウンタと、
前記原稿画像の読み取り終了後に、前記ラインカウンタでカウントした前記累計ライン数を格納する前記入力制御シーケンサに接続した原稿ライン数レジスタと、を有し、
前記原稿ライン数レジスタに格納された前記原稿画像のライン数を、前記転写ライン数レジスタに格納し、
前記入力制御シーケンサからの原稿画像読み取り終了信号により、出力ライン数の確定信号が設定されることを特徴とする請求項６記載の画像処理装置の画像転写制御方法。
【発明の詳細な説明】
【技術分野】
【０００１】
本発明は、ディジタル画像信号を転写紙に画像として再生する装置、またはスキャナーから画像を読み込んで転写紙に画像を再生する装置、などの画像処理装置および画像転写制御方法に関する。
【背景技術】
【０００２】
ディジタル画像処理装置に関する技術で、ディジタル画像信号を転写紙に画像として再生する装置、特にスキャナーから画像を読み込んで転写紙に画像を再生する装置に関する技術として特許文献１がある。
【特許文献１】特開２００２−８４３８１号公報
【０００３】
まずは、特許文献１に記載の従来技術について説明する。
【０００４】
図１は、従来の画像処理装置のシステムの構成を示すシステムブロック図である。この画像処理装置は、ＭＦＰ（コピー、ＦＡＸ、プリンター、スキャナー等の複合機）の構成になっている。図１を参照し、従来の画像処理装置を説明する。
【０００５】
原稿を光学的に読み取る読み取りユニット１は、原稿に対するランプ照射の反射光をミラー及びレンズにより受光素子に集光する。受光素子（ＣＣＤを例として示す）は、ＳＢＵ（センサーボードユニット）２に搭載され、ＣＣＤに於いて電気信号に変換された画像信号はディジタル信号に変換された後、ＳＢＵ２から出力される。
【０００６】
ＳＢＵ２から出力される画像信号はＣＤＩＣ（圧縮／伸張及びデータインターフェース制御部）３に入力される。機能デバイス及びデータバス間における画像データの伝送はＣＤＩＣ３が全て制御する。
【０００７】
ＣＤＩＣ３は画像データに関し、ＳＢＵ２、パラレルバス５０、ＩＰＰ（画像処理プロッセサー）４間のデータ転送、および全体制御を司るシステムコントローラ２０と画像データに対するプロセスコントローラ３０間の通信を行う。
【０００８】
ＳＢＵ２からの画像信号はＣＤＩＣ３を経由してＩＰＰ４に転送され、光学系及びディジタル信号への量子化に伴う信号劣化（スキャナー系の信号劣化とする）を補正し、再度ＣＤＩＣ３へ出力される。
【０００９】
ＩＰＰ４からＣＤＩＣ３へ転送されたデータは、ＣＤＩＣ３からパラレルバス５０を経由してＩＭＡＣ（画像メモリアクセス制御部）５に送られる。ここではシステムコントローラ２０の制御に基づき画像データとＭＥＭ（メモリモジュール）６のアクセス制御、外部ＰＣ（パソコン）のプリント用データの展開、メモリ有効活用のための画像データの圧縮／伸張を行う。
【００１０】
ＩＭＡＣ５へ送られたデータはデータ圧縮後ＭＥＭ６へ蓄積し、蓄積データを必要に応じて読み出す。読み出しデータは伸張し、本来の画像データに戻しＩＭＡＣ５からパラレルバス５０経由でＣＤＩＣ３へ戻される。
【００１１】
ＣＤＩＣ３からＩＰＰ４への転送後は画質処理及びＶＤＣ７でのパルス制御を行い、作像ユニット８に於いて転写紙上に再生画像を形成する。これら画像データの流れに於いて、パラレルバス５０及びＣＤＩＣ３でのバス制御により、ＭＦＰの機能を実現する。
【００１２】
ＦＡＸ送信機能は読み取り画像データをＩＰＰ４にて画像処理を実施し、ＣＤＩＣ３及びパラレルバス５０を経由してＦＣＵ（ＦＡＸ制御ユニット）９へ転送する。ＦＣＵ９にて通信網へのデータ変換を行い、ＰＮ（公衆回線）へＦＡＸデータとして送信する。
【００１３】
ＦＡＸ受信は、ＰＮからの回線データをＦＣＵ９にて画像データへ変換し、パラレルバス５０及びＣＤＩＣ３を経由してＩＰＰ４へ転送される。この場合特別な画質処理は行わず、ＶＤＣ７においてドット再配置及びパルス制御を行い、作像ユニット８に於いて転写紙上に再生画像を形成する。
【００１４】
複数ジョブ、例えばコピー機能、ＦＡＸ送受信機能、プリンター出力機能が並行に動作する状況に於いて、読み取りユニット１、作像ユニット８及びパラレルバス使用権のジョブへの割り振りをシステムコントローラ２０及びプロセスコントローラ３０にて制御する。
【００１５】
プロセスコントローラ３０は画像データの流れを制御し、システムコントローラ２０はシステム全体を制御し、各リソースの起動を管理する。ＭＦＰの機能選択はＯｐｅ．Ｐａｎｅ（操作部）にて選択入力し、コピー機能、ＦＡＸ機能等の処理内容を設定する。
【００１６】
システムコントローラ２０とプロセスコントローラ３０はパラレルバス５０、ＣＤＩＣ３及びシリアルバス７０を介して相互に通信を行う。ＣＤＩＣ３内に於いてパラレルバス５０とシリアルバス７０とのデータインターフェースのためのデータフォーマット変換を行う。
【００１７】
図２は、図１に示したＩＰＰ４の概略構成を示すブロック図である。図２を参照し、ＩＰＰ４の画像処理の概略を説明する。
【００１８】
読み取り画像はＳＢＵ２、ＣＤＩＣ３を介してＩＰＰ４の入力Ｉ／Ｆからスキャナー画像処理部へ伝達される。読み取り画像信号の劣化補正が目的で、シェーディング補正、スキャナーγ補正、ＭＴＦ補正等を行う。補正処理ではないが、拡大／縮小の変倍処理も行う。読み取り画像データの補正処理終了後、出力Ｉ／Ｆを介してＣＤＩＣ３へ画像データを転送する。
【００１９】
転写紙への出力はＣＤＩＣ３からの画像データを入力Ｉ／Ｆより受け、画質処理部に於いて面積階調処理を行う。画質処理後のデータは出力Ｉ／Ｆを介してＶＤＣ７へ出力される。面積階調処理は濃度変換、ディザ処理、誤差拡散処理等が有り、階調情報の面積近似を主な処理とする。一旦スキャナー画像処理された画像データをメモリに蓄積しておけば、画質処理を変える事によって種々の再生画像を確認することができる。
【００２０】
例えば再生画像の濃度を振ってみたり、ディザマトリクスの線数を変更してみたりする事で、再生画像の雰囲気を変更できる。この時処理を変更する度に画像を読み取りユニット１から読み込み直す必要はなく、ＭＥＭ６から格納画像を読み出せば同一データに対し、何度でも異なる処理を実施できる。
【００２１】
また、単体スキャナーの場合、スキャナー画像処理と階調処理を合せて実施し、ＣＤＩＣ３へ出力する。処理内容はプログラマブルに変更する。処理の切り替え、処理手順の変更等はＩＰＰ４のコマンド制御部に於いて管理する。
【００２２】
図３は、図１に示したＣＤＩＣ３の概略構成を示すブロック図である。図３を参照し、ＣＤＩＣ３の画像処理の概略を説明する。
【００２３】
画像データ入出力制御部はＳＢＵ２からの画像データを入力し、ＩＰＰ４に対してデータを出力する。画像データ入力制御部では、ＩＰＰ４でスキャナー画像補正されたデータが入力される。入力データはパラレルバス５０での転送効率を高めるためにデータ圧縮部に於いて、データ圧縮を行う。パラレルデータＩ／Ｆを介してパラレルバス５０へ送出される。
【００２４】
パラレルバス５０からパラレルデータＩ／Ｆを介して入力される画像データは、バス転送のために圧縮されており、データ伸張部で伸張される。伸張された画像データは画像データ出力制御部に於いてＩＰＰ４へ転送される。ＣＤＩＣ３は、パラレルデータとシリアルデータの変換機能を併せ持つ。システムコントローラ２０はパラレルバス５０にデータを転送し、プロセスコントローラ３０はシリアルバス７０にデータを転送する。ＣＤＩＣ３は、２つのコントローラの通信のためにデータ変換を行う。シリアルデータＩ／ＦはＩＰＰ４用にも更に１系統持ち、ＩＰＰ４ともＩ／Ｆする。
【００２５】
図４は、図１に示したＶＤＣ７の概略構成を示すブロック図である。図４を参照し、ＶＤＣ７の画像処理の概略を説明する。
【００２６】
入力される画像データに対し作像ユニット８の特性に応じて、追加の処理を行う。エッジ平滑処理によるドットの再配置処理、ドット形成のための画像信号のパルス制御を行い、画像データは作像ユニット８を対象として出力される。
【００２７】
画像データの変換とは別に、パラレルデータとシリアルデータのフォーマット変換機能を併せ持ち、ＶＤＣ７単体でもシステムコントローラ２０とプロセスコントローラ３０の通信に対応できる。
【００２８】
図５は、図１に示したＩＭＡＣ５の概略構成を示すブロック図である。図５を参照し、ＩＭＡＣ５の画像処理の概略を説明する。
【００２９】
パラレルデータＩ／Ｆに於いて、パラレルバス５０との画像データのインターフェースを管理する。構成的にはＭＥＭ６への画像データの格納／読み出しと、主に外部のＰＣから入力されるコードデータの画像データへの展開を制御する。
【００３０】
入力されたコードデータはラインバッファにおいて、ローカル領域でのデータの格納を行う。ラインバッファに格納されたコードデータは、システムコントローラＩ／Ｆを介して入力されたシステムコントローラ２０からの展開処理命令に基づき、ビデオ制御部に於いて画像データに展開される。
【００３１】
展開された画像データもしくはパラレルデータＩ／Ｆを介してパラレルバス５０から入力された画像データは、ＭＥＭ６に格納される。この場合、データ変換部に於いて格納対象となる画像データを選択し、データ圧縮部においてメモリ使用効率を上げるためにデータ圧縮を行い、メモリアクセス制御部においてＭＥＭ６のアドレスを管理しながらＭＥＭ６に画像データを格納する。
【００３２】
ＭＥＭ６に格納された画像データの読み出しは、メモリアクセス制御部にて読み出し先アドレスを制御し、読み出された画像データをデータ伸張部にて伸張する。伸張された画像データをパラレルバス５０へ転送する場合、パラレルデータＩ／Ｆを介してデータ転送を行う。
【００３３】
図６は、図１に示したＦＣＵ９の概略構成を示すブロック図である。図６を参照し、ＦＣＵ９の画像処理の概略を説明する。
【００３４】
ＦＡＸ送受信部は、画像データを通信形式に変換して外部回線に送信し、又、外部からのデータを画像データに戻して外部Ｉ／Ｆ及びパラレルバス５０を介して作像ユニット８において記録出力する。ＦＡＸ送受信部は、ＦＡＸ画像処理部、画像メモリ、メモリ制御部、ファクシミリ制御部、画像圧縮伸張部、モデム及び網制御装置からなる。この内、ＦＡＸ画像処理に関し、受信画像に対する二値スムージング処理はＶＤＣ７のエッジ平滑処理部において行う。
【００３５】
また、画像メモリに関しても、出力バッファー機能に関してはＩＭＡＣ５及びＭＥＭ６にその機能の一部を移行する。
【００３６】
このように構成されたＦＡＸ送受信部では、画像情報の伝送を開始するとき、ファクシミリ制御部がメモリ制御部に指令し、画像メモリから蓄積している画像情報を順次読み出させる。読み出された画像情報は、ＦＡＸ画像処理部によって元の信号に復元されるとともに、密度変換処理及び変倍処理がなされ、ファクシミリ制御部に加えられる。ファクシミリ制御部に加えられた画像信号は、画像圧縮伸張部によって符号圧縮され、モデムによって変調された後、網制御装置を介して宛先へと送出される。そして、送信が完了した画像情報は、画像メモリから削除される。
【００３７】
受信時には、受信画像は一旦画像メモリに蓄積され、その時に受信画像を記録出力可能であれば、１枚分の画像の受信を完了した時点で記録出力される。又、複写動作時に発呼されて受信を開始したときは、画像メモリの使用率が所定値、例えば８０％に達するまでは画像メモリに蓄積し、画像メモリの使用率が８０％に達した場合には、その時に実行している書き込み動作を強制的に中断し、受信画像を画像メモリから読み出し記録出力させる。このとき画像メモリから読み出した受信画像は画像メモリから削除し、画像メモリの使用率が所定値、例えば１０％まで低下した時点で中断していた書き込み動作を再開させ、その書き込み動作を全て終了した時点で、残りの受信画像を記録出力させている。また、書き込み動作を中断した後に、再開できるように中断時に於ける書き込み動作のための各種パラメターを内部的に退避させ、再開時に、パラメターを内部的に復帰させる。
【００３８】
図１に示した従来の画像処理装置のシステムブロックの構成図で、コピー実行時には前述したように、読み取りユニット１にて読み取られた画像信号は、ＳＢＵ２、ＣＤＩＣ３、ＩＰＰ４、ＣＤＩＣ３と転送され、ＣＤＩＣ３からパラレルバス５０及びＩＭＡＣ５を介してフレームメモリＭＥＭ６に蓄積される。そしてしかる後に、画像信号はフレームメモリＭＥＭ６からＩＭＡＣ５及びパラレルバス５０を介してＣＤＩＣ３に送られ、ＩＰＰ４、ＶＤＣ７、作像ユニット８に送られ転写画像を得る。
【００３９】
図７は、図１に示したセンサボードユニットＳＢＵ２からＣＤＩＣ３への接続の様子を示す図である。図７を参照し、この接続の様子の概略を説明する。
【００４０】
ＳＢＵ２からは主に２つの制御信号のＦＧＡＴＥＢとＬＧＡＴＥＢとスキャナーデータ送信用データ線ＳＤがＣＤＩＣ３内の画像データ入出力制御部に接続される。ＦＧＡＴＥＢとＬＧＡＴＥＢの語尾の“Ｂ”はその制御信号が負論理であることを示す。すなわち、これらの信号は“Ｌ”のときアサート状態で、“Ｈ”のときネゲート状態を示す。
【００４１】
図８は、図７に示したＳＢＵ２からＣＤＩＣ３に対してスキャナーデータ送信の様子を示すデータ送信図である。
【００４２】
フレームゲート信号ＦＧＡＴＥＢは、原稿の読み取り範囲を示す信号でそのアサートで原稿の読み取り開始を示し、ネゲートで原稿の読み取り終了を示す。ラインゲート信号ＬＧＡＴＥＢは、ラインデータの有効範囲を示し、そのアサート状態のときにデータラインＳＤの値がスキャナーデータとして有効であることを示している。
【００４３】
図９は、原稿の読取られた画像領域のみをシステムコントローラ２０に送信する様子を示す図である。図９(ａ)は読取り原稿を示し、図９(ｂ)はこの原稿をスキャナにて読取る場合のフレームゲート信号ＦＧＡＴＥＢの様子を示している。
【００４４】
このＦＧＡＴＥＢのアサートにより、システムコントローラ２０への画像データ送信を開始し、ＦＧＡＴＥＢのネゲートによりシステムコントローラ２０への画像データ送信を終了することになる。このとき入力された原稿長を示すライン数は、ＣＤＩＣ３の画像データ入出力制御部にてカウントされ、原稿の情報としてシステムコントローラ２０に通知されることになる。
【００４５】
図１０は、図１に示したＣＤＩＣ３内に備えられた原稿サイズ検出回路を示すブロック図である。原稿サイズ検出回路は、ＣＤＩＣ３内の画像データ入出力制御部に備えている。図１０に示すように、入力制御シーケンサは、ステートマシン等で構成され、カウンタ動作やデータ入出力制御を行う。ラインカウンタＬＣＮＴは、原稿読み取り前に一度リセット信号ｒｅｓ＿ＬＣＮＴをアサートすることでカウンタをリセットしておく。そしてスキャナーデータの１ラインを取り込む毎にカウンタインクリメント信号ｉｎｃ＿ＬＣＮＴがアサートされ、受信したスキャナーデータのライン数がカウントされる。
【００４６】
原稿ライン数レジスタＮＧＣＵＴは、原稿のライン数を格納するもので、原稿読取り開始時にそのリセット信号ｒｅｓ＿ＮＧＣＵＴをアサートすることでリセットされる。その後、原稿が読取られ、フレームゲート信号ＦＧＡＴＥＢがネゲートし、原稿読み取りが終了すると、原稿ライン数レジスタＮＧＣＵＴのロード信号ｌｄ＿ＮＧＣＵＴをアサートし、ラインカウンタＬＣＮＴの値を格納する。その後、エンジン側を制御するＣＰＵ（プロセスコントローラ３０）により、ＮＧＣＵＴの値が読取られ読取られた原稿のライン数、すなわち原稿長を知ることができる。
【００４７】
図１１は、図１０に示す入力制御シーケンサであるステートマシンの状態遷移の例を示す図である。ステートＳ０は、アイドルステートであり、このステートでラインカウンタＬＣＮＴのリセット信号ｒｅｓ＿ＬＣＮＴと原稿のフレームゲート信号ＦＧＡＴＥＢのネゲート時のラインカウンタの値を格納する原稿ライン数レジスタＮＧＣＵＴのリセット信号ｒｅｓ＿ＮＧＣＵＴをアサートし、リセットをかけている。
【００４８】
この状態で原稿の読み取りが開始され、フレームゲート信号ＦＧＡＴＥＢがアサートするとステートＳ１に遷移する。ステートＳ１では、原稿のスキャナーデータが１ライン入力される毎にラインカウンタＬＣＮＴのインクリメント信号ｉｎｃ＿ＬＣＮＴをアサートし、入力されるスキャナーデータのライン数をカウントする。原稿の読み取りが終端にきたことをフレームゲート信号のネゲート（ＦＧＡＴＥＢ＝‘１’）で知ると、ステートＳ１からステートＳ２に遷移する。
【００４９】
ステートＳ２では、フレームゲート信号ＦＧＡＴＥＢがネゲートした際のラインカウンタＬＣＮＴの値をＦＧＡＴＥＢネゲート時の原稿ライン数格納レジスタＮＧＣＵＴにロードするためｌｄ＿ＮＧＣＵＴを出力し、ステートＳ３に遷移する。ステートＳ３では、原稿の読取りが終了し、スキャナデータの送信が終了したことを示す転送終了信号ＴＲＡＮＳ＿ＥＮＤをアサートする。
【００５０】
図１２は、図１に示したＭＥＭ６に蓄積された原稿画像データを読出し、転写する様子を示す図である。（１）の画像データパスは、スキャナからＭＥＭ６への画像データ転送パスで、Ｓ２Ｍ（Ｓｃａｎ  ｔｏ  Ｍｅｍｏｒｙ）パスと呼ぶことにする。（２）の画像データパスは、ＭＥＭ６から画像データを読出し、転写するパスで、Ｍ２Ｐ（Ｍｅｍｏｒｙ  ｔｏ  Ｐｌｏｔ）パスと呼ぶ。
【００５１】
ここで、読取り原稿として読取りユニット１にて原稿長を検出できない場合を考える。原稿長を検出できない場合としては、ＦＡＸ読取り原稿や長尺原稿などのようにＡ４サイズとかの定型サイズでない場合や読取りユニット１自体に原稿長検出機能がない場合がある。
【００５２】
図１３は、従来の画像処理装置における画像転送動作を時間軸で示した図である。図１３において、原稿長がわからない原稿に対して、転送画像を得る様子を示している。原稿長がわからない場合は、原稿読取りが終わり、図１０に示したＣＤＩＣ３内の原稿サイズ検出回路により原稿長を検出した後、Ｍ２Ｐパス側の原稿長、すなわちライン数を設定し、転写を開始することになる。従って、図１３に示すように（１）のＳ２Ｍパスデータ転送が終わってから（２）のＭ２Ｐパスデータ転送を開始することになり、転写画像を得る時間が長くなってしまう。
【００５３】
このことは原稿読み取りから転写画像を得るまでのファーストコピー（第１枚目のコピー）の時間が長くなることになり、複写機での重要な仕様でデメリットとなってしまう。すなわち、従来は、転写サイズがわかった時点で、転写を制御するブロック（ＣＤＩＣ３の画像データ出力制御部）に転写サイズを設定し、転写を開始していたため、転写画像を得るのに時間を要していた。
【発明の開示】
【発明が解決しようとする課題】
【００５４】
本発明は、上記問題点に鑑みてなされたものであり、転写開始時に転写画像サイズがわからない場合でも、転写を開始し、転写画像サイズが判明した時点で転写を制御するブロックに転写サイズを設定し、正常に転写画像を得るようにすることで、転写速度を向上させる画像処理装置および画像転写制御方法を提供することを目的とする。さらに、原稿を読取り、読取った画像の転写画像を得る複写機等において、副走査方向のサイズが定形でない、例えばＦＡＸ送信時の原稿や長尺原稿をスキャナーで読み取り、コピーを取る場合において、原稿読取りを開始し、原稿サイズがわからない場合でも転写を開始できるようにし、コピー時間、特に原稿読み取りから転写画像を得るまでのファーストコピーに要する時間を少なくする画像処理装置および画像転写制御方法を提供することを目的とする。
【課題を解決するための手段】
【００５５】
上記目的を達成するために、請求項１記載の発明は、コントローラ側メモリに蓄積された原稿画像信号をエンジン側に転送し、転写画像として出力する画像処理装置であって、転写ライン数が確定するまでは前記エンジン側の転写ライン数として大きな値を設定後、転写を開始し、転写ライン数が確定した後に、前記エンジン側の転写ライン数を確定した転写ライン数に設定し直し、前記確定した転写ライン数まで画像を出力することで転写画像を得る手段を有することを特徴とする。
【００５６】
請求項２記載の発明は、コントローラ側メモリに蓄積された原稿画像信号をエンジン側に転送し、転写画像として出力する画像処理装置であって、転写ライン数が確定するまではエンジン側の転写ライン数は未確定として、転写を開始し、転写ライン数が確定した後に、前記エンジン側に転写ライン数確定信号と確定ライン数を設定し、前記エンジン側は確定信号が設定されたときの確定した転写ライン数まで画像を出力することで転写画像を得る手段を有することを特徴とする。
【００５７】
請求項３記載の発明は、請求項１または２に記載の発明において、読み取った原稿画像信号をディジタル変換された画像信号に変換し、これら画像信号を利用可能な画像信号に処理した後、これら画像信号をコントローラ側メモリに送信、蓄積し、しかる後に画像信号を前記コントローラ側メモリより受信し、転写画像として出力可能な画像信号になるように処理する画像処理装置であって、原稿読取り手段からの読取り開始を示すフレーム信号のアサートにより原稿長を示すラインカウントを開始し、読み取りの終わりを示すフレーム信号のネゲートによりライン数カウントを停止することで検知された原稿のライン数をコントローラ側に転送し、これら確定した原稿のライン数を前記エンジンの転写側に設定する転写画像を得る手段を有することを特徴とする。
【００５８】
請求項４記載の発明は、請求項１または２に記載の発明において、読み取った原稿画像信号をディジタル変換された画像信号に変換し、これら画像信号を利用可能な画像信号に処理した後、これら画像信号をコントローラ側メモリに送信、蓄積し、しかる後に画像信号を前記コントローラ側メモリより受信し、転写画像として出力可能な画像信号になるように処理する画像処理装置であって、原稿読取り手段からの読取り開始を示すフレーム信号のアサートにより原稿長を示すラインカウントを開始し、読み取りの終わりを示すフレーム信号のネゲートによりライン数カウントを停止することで検知された原稿のライン数の値をラインカウンタから直接、前記エンジンの転写側に設定することで転写画像を得る手段を有することを特徴とする。
【００５９】
請求項５記載の発明は、読み取った原稿の画像信号をディジタル変換された画像信号に変換し、画像信号をメモリに送信し蓄積し、画像信号を前記メモリより受信し、転写画像として出力する画像転写制御回路を有する画像処理装置の画像転写制御方法であって、前記画像転写制御回路は、出力した転写画像のライン数をカウントする出力ラインカウンタと、設定された転写すべき原稿のライン数を格納する転写ライン数レジスタと、前記出力した転写画像のライン数と、前記転写すべき画像のライン数と、を比較するコンパレータと、を有し、前記画像転写制御回路は、前記原稿の読み取り開始後に、前記原稿の転写を開始し、前記出力ラインカウンタは、前記転写画像の出力したライン数をカウントし、前記転写ライン数レジスタに設定される前記転写すべき原稿のライン数は、初期に大きな値に設定され、前記原稿の読み取り終了後に読み出した前記原稿のライン数に設定し直され、前記コンパレータは、前記出力した転写画像のライン数と、設定し直された前記転写すべき画像のライン数と、を比較し、両ライン数が一致した時に転写動作を終了することを特徴とする。
【００６０】
請求項６記載の発明は、請求項５記載の発明において、前記画像転写制御回路は、さらに出力ライン数確定信号レジスタと、前記コンパレータと前記出力ライン数確定信号レジスタに接続したＡＮＤ回路と、を有し、前記転写すべき原稿のライン数は、初期に未確定の値に設定され、前記原稿の読み取り終了後に読み出した前記原稿のライン数に設定し直され、前記出力ライン数確定信号レジスタに、前記原稿の読み取り終了後に、出力ライン数の確定信号が設定され、前記確定信号による出力ライン分の転写が終了すると、前記コンパレータの出力信号と前記ＡＮＤ回路とによりプロット終了信号が生成され、転写動作を終了することを特徴とする。
【００６１】
請求項７記載の発明は、前記画像転写制御回路は、原稿サイズ検出回路と組み合わされ、前記原稿サイズ検出回路は、原稿画像の１ラインを読み取る毎に、ライン数をカウントし累計する入力制御シーケンサに接続したラインカウンタと、前記原稿画像の読み取り終了後に、前記ラインカウンタでカウントした前記累計ライン数を格納する入力制御シーケンサに接続した原稿ライン数レジスタと、を有し、前記原稿ライン数レジスタに格納された前記原稿画像のライン数を、前記転写ライン数レジスタに設定値として格納することを特徴とする。
【００６２】
請求項８記載の発明は、請求項６記載の発明において、前記画像転写制御回路は、原稿サイズ検出回路と組み合わされ、前記原稿サイズ検出回路は、原稿画像の１ラインを読み取る毎に、ライン数をカウントし累計する入力制御シーケンサに接続したラインカウンタと、前記原稿画像の読み取り終了後に、前記ラインカウンタでカウントした前記累計ライン数を格納する前記入力制御シーケンサに接続した原稿ライン数レジスタと、を有し、前記原稿ライン数レジスタに格納された前記原稿画像のライン数を、前記転写ライン数レジスタに格納し、前記入力制御シーケンサからの原稿画像読み取り終了信号により、出力ライン数の確定信号が設定されることを特徴とする。
【発明の効果】
【００６３】
本発明の実施形態によれば、転写開始時に転写画像サイズがわからない場合でも、転写を開始し、転写画像サイズが判明した時点で転写を制御するブロックに転写サイズを設定し、転写画像を得ることができるため、転写速度を向上させることができる。これは、画像出力装置の性能を示す仕様であるＰＰＭ（Ｐｒｉｎｔ  Ｐｅｒ  Ｍｉｎｕｔｅ）の値を向上させ、高速の画像出力装置および画像転写制御方法を実現できる。
【００６４】
また、本発明の実施形態によれば、原稿を読取り、読取った画像の転写画像を得る複写機等において、副走査方向のサイズが定形でない、例えばＦＡＸ送信時の原稿や長尺原稿をスキャナーで読み取り、コピーを取る場合において、原稿読取りを開始し、原稿サイズがわからない時点においても転写を開始できるようになるため、原稿読み取りから転写画像を得るまでのファーストコピーに要する時間を少なくすることができる。また、複写機において重要な仕様であるコピー速度、すなわちＣＰＭ（Ｃｏｐｙ  Ｐｅｒ  Ｍｉｎｕｔｅ）の値を向上させ、高速の複写機等の画像出力装置および画像転写制御方法を実現できる。
【発明を実施するための最良の形態】
【００６５】
画像転写制御回路は、出力した転写画像のライン数をカウントする出力ラインカウンタＰＣＮＴと、転写すべき原稿のライン数を格納する転写ライン数レジスタＯＮＬと、出力した転写画像のライン数と、転写すべき画像のライン数と、を比較するコンパレータＣＭＰと、を有し、画像転写制御回路は、原稿の読み取り開始後に、原稿の転写を開始し、出力ラインカウンタＰＣＮＴは、転写画像の出力したライン数をカウントし、転写ライン数レジスタＯＮＬに設定される転写すべき原稿のライン数は、初期に大きな値に設定され、原稿の読み取り終了後に読み出した原稿のライン数に設定し直され、コンパレータＣＭＰは、出力した転写画像のライン数と、設定し直された転写すべき画像のライン数と、を比較し、両ライン数が一致した時に転写動作を終了する。
【００６６】
図面を参照し、本発明の実施の形態を詳細に説明する。本発明の画像処理装置の構成は、図１で示した従来の画像処理装置の構成と同等である。従って、各構成要素の名称は、従来例と同じ名称を用いて説明する。従来は、転写サイズがわかった時点で、転写を制御する制御部に転写サイズを設定し、転写を開始していたため、転写画像を得るのに時間を要していた。複写機等の画像処理装置において、ファーストコピーにかかる時間は重要な仕様となり、複写機の性能を表す上でもファーストコピー時間を早くすることは重要である。本発明の実施形態においては、新たな画像転写制御方法を用いることにより従来の問題点を解決した。また、図１において、パラレルバス５０の上部に示している構成部分をコントローラ側とし、パラレルバス５０の下部に示している構成部分をエンジン側と呼ぶことにする。
【００６７】
まず、従来技術の説明で用いた図１２の画像データパスＭ２Ｐ（Ｍｅｍｏｒｙ  ｔｏ  Ｐｌｏｔ）（２）における本発明の実施形態の画像転写制御について説明する。
【００６８】
図１４は、本発明の実施形態における、図１に示したＣＤＩＣ３からＩＰＰ４への接続の様子を示す図である。ＣＤＩＣ３内でデータ伸張部から画像データ出力制御部へ送られた画像データは、ＩＰＰ４へ送られる。
【００６９】
このとき、ＣＤＩＣ３からＩＰＰ４に２つの制御信号のＴ＿ＦＧＡＴＥＢ及びＴ＿ＬＧＡＴＥＢと転写データ送信用データ線Ｔ＿Ｄが接続される。Ｔ＿ＦＧＡＴＥＢとＴ＿ＬＧＡＴＥＢの語尾の“Ｂ”はその制御信号が負論理であることを示す。すなわち、これらの信号は“Ｌ”のときアサート状態で、“Ｈ”のときネゲート状態を示す。
【００７０】
図１５は、本発明の実施形態におけるＣＤＩＣ３からＩＰＰ４に対して転写データ送信の様子を示す図である。図１５において、フレームゲート信号Ｔ＿ＦＧＡＴＥＢは、転写データの副走査の範囲を示す信号でそのアサートで転写開始を示し、ネゲートで転写終了を示す。ラインゲート信号Ｔ＿ＬＧＡＴＥＢは、ラインデータの有効範囲を示し、そのアサート状態のときにデータラインＴ＿Ｄの値が転写データとして有効であることを示している。
【００７１】
図１６は、本発明の実施形態における転写データをプロットする様子を示す図である。図１６において、読取り初期には原稿サイズがわからない例として、定型サイズ以外の原稿のコピーを取る場合で、しかも転写紙はロール紙の場合を示している。通常、転写紙はＡ４サイズやＡ３サイズというように予めサイズの規定される場合が多いが、特にＡ２サイズやＡ０サイズの複写機になると複写機が大型になるのを防ぐため、転写紙としてロール紙が使用されるようになる。
【００７２】
ロール紙の場合、原稿画像領域の転写が完了するとロール紙をカットし、転写画像を得るようになっている。図１６の場合、転写ライン数はｎラインで、ｎラインまで転写したところで、ロール紙を切断し、コピー画像を得る。
【００７３】
このように、読取り途中で原稿サイズが判明するような原稿に対してコピーを取る場合、前述したように原稿サイズが判明してから、転写を開始するようにするとコピー速度の低下を招くため、原稿サイズが判明しない段階で転写を開始し、原稿サイズが判明したところで、転写を制御するＣＤＩＣ３内の画像データ出力制御部に判明した転写紙サイズを設定するようにして、コピー速度を向上するようにする。以下、このコピー速度向上制御について、詳細を説明する。
【００７４】
図１７は、ＣＤＩＣ３の画像データ出力制御部の転写制御シーケンサの状態遷移の例を示す図である。図１７に示す転写制御シーケンサは、ステートマシン等で構成され、カウンタ動作やデータ出力制御を行う。
【００７５】
図１７において、ステートＳ０は、アイドルステートである。転写開始時には、その旨を示すＰＬＯＴ＿ＳＴＡＲＴ信号がアサートされるため、ステートＳ０からＳ１に遷移する。ステートＳ１では、出力ラインカウンタＰＣＮＴのリセット信号ＲＥＳ＿ＰＣＮＴをアサートし、ステートＳ２に遷移する。ステートＳ２では、ＩＰＰ４への出力フレームゲート信号Ｔ＿ＦＧＡＴＥＢをアサートすると共に、転写画像データが１ライン出力される毎に出力ラインカウンタＰＣＮＴインクリメント信号ＩＮＣ＿ＰＣＮＴをアサートし、出力された転写データのライン数をカウントする。
【００７６】
図１８は、本発明の第１実施形態における画像処理装置の画像転写制御回路を示すブロック図である。図１８において、出力ラインカウンタＰＣＮＴは、転写開始前に一度リセット信号ＲＥＳ＿ＰＣＮＴをアサートすることでカウンタをリセットしておく。そして転写データの１ラインを出力する毎にカウンタインクリメント信号ＩＮＣ＿ＰＣＮＴがアサートされ、出力した転写データのライン数がカウントされる。
【００７７】
転写ライン数レジスタＯＮＬは、転写すべき（出力すべき）画像のライン数を格納するもので、転写開始時にそのロード信号ＬＤ＿ＯＮＬをアサートし、転写サイズとしてこれ以上はないと考えられる大きな値を設定しておく。その後、転写が開始され、出力したライン数をカウントする出力ラインカウンタＰＣＮＴの値と転写ライン数レジスタＯＮＬの値がコンパレータＣＭＰで比較され、出力したライン数の値が転写ライン数レジスタＯＮＬの値に到達したときに全ての転写画像を出力したということで終了シーケンスに入る。但し、現段階では転写ライン数レジスタＯＮＬには大きな値が設定されているため、転写画像を出力し続けることになるが、以下に述べる方法で転写画像の出力を終了する。
【００７８】
すなわち、原稿の読み取り段階において、読取り原稿の転送が終了すると、原稿サイズが前述の図１０に示すような原稿サイズ検出回路で検出され、プロセスコントローラ３０側に転送される。この段階でＣＰＵ（プロセスコントローラ３０）のアクセスにより、図１８の転写ライン数レジスタＯＮＬに検出した画像サイズをそのロード信号ＬＤ＿ＯＮＬをアサートし設定する。そして、転写サイズが設定した画像サイズ分転写し終えるとコンパレータＣＭＰによりその旨が検知され、転写動作を終了することになる。すなわち、読み取り時点での原稿サイズが、転写ライン数レジスタＯＮＬに入力され、出力ライン数が決定される。
【００７９】
図１８のコンパレータＣＭＰにより、全ての転写データを出力し終えるとその旨を示す出力終了信号ＰＬＯＴ＿ＥＮＤがアサートされ、ステートＳ２からアイドルステートのＳ０に遷移し、出力フレームゲート信号Ｔ＿ＦＧＡＴＥＢをネゲートすることになる。
【００８０】
図１９は、本発明の第２実施形態における画像処理装置の画像転写制御回路を示すブロック図である。出力ラインカウンタＰＣＮＴと転写ライン数レジスタＯＮＬ、及びコンパレータＣＭＰの働きは図１８で示したものと同様である。図１８と異なるのは、出力ライン数確定信号レジスタＥＯＮＬを設け、コンパレータＣＭＰの出力信号とのＡＮＤ回路によりプロット終了信号を生成する点である。
【００８１】
図１９において、出力ラインカウンタＰＣＮＴは、転写開始前に一度リセット信号ＲＥＳ＿ＰＣＮＴをアサートすることでカウンタをリセットしておく。そして転写データの１ラインを出力する毎にカウンタインクリメント信号ＩＮＣ＿ＰＣＮＴがアサートされ、出力した転写データのライン数がカウントされる。
【００８２】
転写ライン数レジスタＯＮＬは、転写すべき画像のライン数を格納するもので、図１８に示したように転写開始時に大きな値を設定しておく必要はない。但し、転写開始時には転写サイズは未確定を示すため、ＬＤ＿ＥＯＮＬにより出力ライン数確定信号レジスタＥＯＮＬに未確定を示す値‘０’を設定しておく。この値‘０’が設定される限り、ＡＮＤ回路の出力ＰＬＯＴ＿ＥＮＤはネゲートのままとなる。その後、転写が開始されるが、転写すべきライン数（転写サイズ）が未確定のままであるため、転写終了信号ＰＬＯＴ＿ＥＮＤはネゲートされたままで、転写画像を出力し続けることになる。
【００８３】
すなわち、原稿の読み取り段階において、読取り原稿の転送が終了すると、原稿サイズが前述の図１０に示すような原稿サイズ検出回路で検出され、プロセスコントローラ３０側に転送される。この段階で制御ＣＰＵのアクセスにより、図１９の転写ライン数レジスタＯＮＬに検出した画像サイズをそのロード信号ＬＤ＿ＯＮＬをアサートし設定し、その後出力ライン数確定信号レジスタＥＯＮＬに確定した旨を示す‘１’を設定する。これにより、転写サイズが設定した画像サイズ分転写し終えるとコンパレータＣＭＰとＡＮＤ回路によりその旨を示すＰＬＯＴ＿ＥＮＤがアサートされ、転写動作を終了することになる。すなわち、読み取り時点での原稿サイズが、転写ライン数レジスタＯＮＬに入力され、出力ライン数が決定される。
【００８４】
図２０及び図２１は、転写ライン数レジスタＯＮＬへの転写サイズの設定をＣＰＵ（プロセスコントローラ）アクセスにより実現するのではなく、原稿サイズが前述の図１０に示すような原稿サイズ検出回路で検出された際に、自動で転写ライン数レジスタＯＮＬへの転写サイズの設定を行うようにしたものである。
【００８５】
図２０は、本発明の第３実施形態における画像処理装置の画像転写制御回路を示すブロック図である。図２０は、前述の図１０の原稿サイズ検出回路と、図１８の画像転写制御回路を接続したものであり、図１０及び図１８と同じ記号を付した回路の動作は同様である。図２０では、原稿読取り終了信号ＴＲＡＮＳ＿ＥＮＤにより、検出した原稿ライン数ＮＧＣＵＴを転写ライン数レジスタＯＮＬにロードするようにしている。
【００８６】
図２１は、本発明の第４実施形態における画像処理装置の画像転写制御回路を示すブロック図である。図２１は、前述の図１０の原稿サイズ検出回路と図１９の画像転写制御回路を接続したものであり、図１０及び図１９と同じ記号を付した回路の動作は同様である。図２１では、原稿読取り終了信号ＴＲＡＮＳ＿ＥＮＤにより、検出した原稿ライン数ＮＧＣＵＴの転写ライン数レジスタＯＮＬへのロードと出力ライン数確定信号ＥＯＮＬの設定を行うようにしたものである。
【００８７】
図２０あるいは図２１に示す回路では、前述したように出力ラインカウンタＰＣＮＴへの転写サイズの設定をＣＰＵアクセスにより実行する必要がないため、転写のための制御を簡略化することができる。
【００８８】
図２２は、本発明の画像処理装置の実施形態における画像転送動作を時間軸で示した図である。図２１において、（１）のＳ２Ｍパスデータ転送および（２）のＭ２Ｐパスデータ転送のタイミングが示されている。
【００８９】
図２２に示すように、（１）のＳ２Ｍパスデータ転送が始まり、原稿が読み終わらない、すなわち原稿サイズがわからないうちに（２）のＭ２Ｐパスデータ転送を開始することができ、原稿サイズがわかった時点で転写サイズの再設定が可能になるため、原稿１枚当りの読取り及びプロット時間が、従来技術である図１３に比べてかなり早くできる。このことは原稿読み取りから転写画像を得るまでのファーストコピーの時間を短くすることができ、かつ単位時間当りのコピー速度ＣＭＰ（Ｃｏｐｙ  Ｐｅｒ  Ｍｉｎｕｔｅ）を向上させることができる。これは、複写機での重要な仕様となるため、大きなメリットとなる。
【００９０】
以上、実施形態を詳細に説明したが、本発明の実施形態によれば、転写開始時に転写画像サイズがわからない場合でも、転写を開始し、転写画像サイズが判明した時点で転写を制御するブロックに転写サイズを設定し、転写画像を得ることができるため、転写速度を向上させることができる。これは、画像出力装置の性能を示す仕様であるＰＰＭ（Ｐｒｉｎｔ  Ｐｅｒ  Ｍｉｎｕｔｅ）の値を向上させ、高速の画像出力装置および画像転写制御方法を実現できる。
【００９１】
また、本発明の実施形態によれば、原稿を読取り、読取った画像の転写画像を得る複写機等において、副走査方向のサイズが定形でない、例えばＦＡＸ送信時の原稿や長尺原稿をスキャナーで読み取り、コピーを取る場合において、原稿読取りを開始し、原稿サイズがわからない時点においても転写を開始できるようになるため、原稿読み取りから転写画像を得るまでのファーストコピーに要する時間を少なくすることができる。また、複写機において重要な仕様であるコピー速度、すなわちＣＰＭ（Ｃｏｐｙ  Ｐｅｒ  Ｍｉｎｕｔｅ）の値を向上させ、高速の複写機等の画像出力装置および画像転写制御方法を実現できる。
【００９２】
本発明の実施形態について、上記のように詳細に説明したが、上記の実施形態は、本発明の好適な実施の形態の例であり、これに限定されるものではなく、本発明の要旨を逸脱しない範囲において種々変形して実施することが可能である。
【図面の簡単な説明】
【００９３】
【図１】従来の画像処理装置のシステムの構成を示すシステムブロック図である。
【図２】図１に示したＩＰＰの概略構成を示すブロック図である。
【図３】図１に示したＣＤＩＣの概略構成を示すブロック図である。
【図４】図１に示したＶＤＣの概略構成を示すブロック図である。
【図５】図１に示したＩＭＡＣの概略構成を示すブロック図である。
【図６】図１に示したＦＣＵの概略構成を示すブロック図である。
【図７】図１に示したＳＢＵからＣＤＩＣへの接続の様子を示す図である。
【図８】図７に示したＳＢＵからＣＤＩＣに対してスキャナーデータ送信の様子を示すデータ送信図である。
【図９】原稿の読取られた画像領域のみをシステムコントローラに送信する様子を示す図である。
【図１０】図１に示したＣＤＩＣ内に備えられた原稿サイズ検出回路を示すブロック図である。
【図１１】図１０に示す入力制御シーケンサの状態遷移の例を示す図である。
【図１２】図１に示したＭＥＭに蓄積された原稿画像データを読出し、転写する様子を示す図である。
【図１３】従来の画像処理装置における画像転送動作を時間軸で示した図である。
【図１４】本発明の実施形態における、図１に示したＣＤＩＣからＩＰＰへの接続の様子を示す図である。
【図１５】本発明の実施形態におけるＣＤＩＣからＩＰＰに対して転写データ送信の様子を示す図である。
【図１６】本発明の実施形態における転写データをプロットする様子を示す図である。
【図１７】ＣＤＩＣの画像データ出力制御部の転写制御シーケンサの状態遷移の例を示す図である。
【図１８】本発明の第１実施形態における画像処理装置の画像転写制御回路を示すブロック図である。
【図１９】本発明の第２実施形態における画像処理装置の画像転写制御回路を示すブロック図である。
【図２０】本発明の第３実施形態における画像処理装置の画像転写制御回路を示すブロック図である。
【図２１】本発明の第４実施形態における画像処理装置の画像転写制御回路を示すブロック図である。
【図２２】本発明の画像処理装置の実施形態における画像転送動作を時間軸で示した図である。
【符号の説明】
【００９４】
１    読み取りユニット
２    ＳＢＵ
３    ＣＤＩＣ
４    ＩＰＰ
５    ＩＭＡＣ
６    ＭＥＭ
７    ＶＤＣ
８    作像ユニット
９    ＦＣＵ
２０    システムコントローラ
３０    プロセスコントローラ
５０    パラレルバス
７０    シリアルバス
【図１】
2005184637.tif 000003
【図２】
2005184637.tif 000004
【図３】
2005184637.tif 000005
【図４】
2005184637.tif 000006
【図５】
2005184637.tif 000007
【図６】
2005184637.tif 000008
【図７】
2005184637.tif 000009
【図８】
2005184637.tif 000010
【図９】
2005184637.tif 000011
【図１０】
2005184637.tif 000012
【図１１】
2005184637.tif 000013
【図１２】
2005184637.tif 000014
【図１３】
2005184637.tif 000015
【図１４】
2005184637.tif 000016
【図１５】
2005184637.tif 000017
【図１６】
2005184637.tif 000018
【図１７】
2005184637.tif 000019
【図１８】
2005184637.tif 000020
【図１９】
2005184637.tif 000021
【図２０】
2005184637.tif 000022
【図２１】
2005184637.tif 000023
【図２２】
2005184637.tif 000024